(57)【要約】【課題】  脈拍検出部の接触圧を調整でき、これにより脈拍検出部の接触圧を適正にして正確な脈拍測定ができる脈拍測定装置を提供する。【解決手段】  腕に取り付けるための時計バンド２を有する腕時計ケース１と、この腕時計ケース１の裏面に突出して設けられて脈拍を光学的に検出する脈拍検出部６と、この脈拍検出部６が腕の皮膚に食い込む挿入量Ｓを調整する調整部材７とを備えた。従って、時計バンド２によって腕時計ケース１を腕に取り付けた際に、脈拍検出部６が腕の皮膚に食い込むと共に、この脈拍検出部６が腕の皮膚に食い込む挿入量Ｓを調整部材７によって調整することにより、腕の皮膚に対する脈拍検出部６の接触圧を調整することができる。このため、腕の皮膚に対する脈拍検出部６の接触圧を適正な接触圧にでき、これにより正確な脈拍測定ができる。【選択図】        図１
2008237453.tif 000002
【特許請求の範囲】
【請求項１】
腕に取り付けるためのバンドを有する装置本体と、
前記腕の皮膚に対面する前記装置本体の裏面に突出して設けられて脈拍を光学的に検出する脈拍検出部と、
この脈拍検出部が前記腕の皮膚に食い込む挿入量を調整する調整部材と
を備えたことを特徴とする腕装着型の脈拍測定装置。
【請求項２】
前記調整部材は、前記脈拍検出部が挿入する貫通孔を有する調整板と、この調整板を前記脈拍検出部の突出方向に沿って移動させる移動部材とを備えていることを特徴とする請求項１に記載の腕装着型の脈拍測定装置。
【請求項３】
前記調整部材は、前記移動部材を前記装置本体の表面側から操作する操作部材を備えていることを特徴とする請求項２に記載の腕装着型の脈拍測定装置。
【請求項４】
前記調整部材は、前記脈拍検出部の突出方向に対する前記調整板の移動位置を検出する位置検出部を有し、
前記装置本体は、前記位置検出部で検出した位置情報に基づいて前記脈拍検出部が前記腕の皮膚に食い込む前記挿入量を表示する表示部を備えている
ことを特徴とする請求項２または３に記載の腕装着型の脈拍測定装置。
【請求項５】
前記装置本体は、外部環境を測定する環境検出部と、この環境検出部で検出した外部環境情報に基づいて前記腕の皮膚に食い込む前記脈拍検出部の挿入量を演算し、この演算した挿入情報を前記表示部に表示させるように制御する制御部と、を備えていることを特徴とする請求項４に記載の腕装着型の脈拍測定装置。
【発明の詳細な説明】
【技術分野】
【０００１】
この発明は、人体の脈拍を測定する腕装着型の脈拍測定装置に関する。
【背景技術】
【０００２】
従来、腕装着型の脈拍測定装置には、特許文献１に記載されているように、腕に装着して脈拍を測定する腕時計型の脈拍測定装置がある。この種の脈拍測定装置は、腕に装着可能な大きさの装置本体と、この装置本体を腕に固定するためのバンドとを備えている。この場合、装置本体には、腕の皮膚に接触して脈拍を光学的に検出する脈拍検出部と、この脈拍検出部で検出した脈拍情報に基づいて脈拍数を表示する表示部とが設けられている。また、バンドは、腕に接触する伸縮性を有する第１バンドと、この第１バンドの外側に重ねて巻き付けられる第２バンドとを備えている。
【特許文献１】特開２００５−２４６０８９号
【発明の開示】
【発明が解決しようとする課題】
【０００３】
このような従来の腕時計型の脈拍測定装置においては、第１バンドと第２バンドとによって装置本体を腕に取り付けることにより、装置本体を腕に確実に固定して脈拍検出部の位置ずれを防ぎ、安定した状態で脈拍検出部を固定することができるが、脈拍検出部を腕の皮膚に所定の接触圧で固定することができるとは限らないという問題がある。
【０００４】
すなわち、従来の脈拍測定装置では、第１バンドと第２バンドとによって腕に締め付ける圧力をほぼ一定にすることはできても、バンド全体の締付圧と脈拍検出部の局所的な接触圧とが同じであるとは限らないため、バンド全体の締付力を調整しても、腕の皮膚に対する脈拍検出部の接触圧を調整することが難しく、このため腕の皮膚に対する脈拍検出部の接触圧が必ずしも適正な接触圧になるとは限らない。
【０００５】
この発明が解決しようとする課題は、脈拍検出部の接触圧を調整でき、これにより脈拍検出部の接触圧を適正な接触圧にして正確な脈拍測定ができる腕装着型の脈拍測定装置を提供することである。
【課題を解決するための手段】
【０００６】
この発明は、上記課題を解決するために、次のような構成要素を備えている。
請求項１に記載の発明は、腕に取り付けるためのバンドを有する装置本体と、前記腕の皮膚に対面する前記装置本体の裏面に突出して設けられて脈拍を光学的に検出する脈拍検出部と、この脈拍検出部が前記腕の皮膚に食い込む挿入量を調整する調整部材とを備えたことを特徴とする腕装着型の脈拍測定装置である。
【０００７】
請求項２に記載の発明は、前記調整部材が、前記脈拍検出部の挿入する貫通孔を有する調整板と、この調整板を前記脈拍検出部の突出方向に沿って移動させる移動部材とを備えていることを特徴とする請求項１に記載の腕装着型の脈拍測定装置である。
【０００８】
請求項３に記載の発明は、前記調整部材が、前記移動部材を前記装置本体の表面側から操作する操作部材を備えていることを特徴とする請求項２に記載の腕装着型の脈拍測定装置である。
【０００９】
請求項４に記載の発明は、前記調整部材が、前記脈拍検出部の突出方向に対する前記調整板の移動位置を検出する位置検出部を有し、前記装置本体は、前記位置検出部で検出した位置情報に基づいて前記脈拍検出部が前記腕の皮膚に食い込む前記挿入量を表示する表示部を備えていることを特徴とする請求項２または３に記載の腕装着型の脈拍測定装置である。
【００１０】
請求項５に記載の発明は、前記装置本体が、外部環境を測定する環境検出部と、この環境検出部で検出した外部環境情報に基づいて前記腕の皮膚に食い込む前記脈拍検出部の挿入量を演算し、この演算した挿入情報を前記表示部に表示させるように制御する制御部と、を備えていることを特徴とする請求項４に記載の腕装着型の脈拍測定装置である。
【発明の効果】
【００１１】
この発明によれば、バンドによって装置本体を腕に取り付けるときに、装置本体の裏面に突出して設けられた脈拍検出部が腕の皮膚に食い込むと共に、この脈拍検出部が腕の皮膚に食い込む挿入量を調整部材によって調整することにより、腕の皮膚に対する脈拍検出部の接触圧を調整することができる。これにより、腕の皮膚に対する脈拍検出部の接触圧を適正な接触圧にすることができ、このため脈拍検出部によって人体の脈拍を正確に測定することができる。
【発明を実施するための最良の形態】
【００１２】
（実施形態１）
以下、図１〜図４を参照して、この発明の脈拍測定装置を腕時計に適用した実施形態１について説明する。
この腕時計は、図１に示すように、脈拍測定装置の装置本体である腕時計ケース１を備えている。この腕時計ケース１の１２時側（図１では左側）と６時側（図１では右側）とには、バンド取付部１ａがそれぞれ設けられており、このバンド取付部１ａには、それぞれ時計バンド２が取り付けられている。これにより、腕時計ケース１は、図３および図４に示すように、時計バンド２によって腕Ａに締め付けられた状態で取り付けられる。
【００１３】
この腕時計ケース１の上部には、図１に示すように、時計ガラス３が取り付けられており、この腕時計ケース１の下部には裏蓋４が取り付けられている。また、この腕時計ケース１の内部には、時計モジュール５が設けられている。この時計モジュール５は、時刻などの各種の情報を表示する表示部５ａのほか、時計機能に必要な各種の電子部品を備えていると共に、脈拍測定に必要な電子回路をも備えている。
【００１４】
また、この腕時計ケース１の裏面つまり裏蓋４の下面には、図１、図３、図４に示すように、脈拍を光学的に検出する脈拍検出部６が下側に突出して設けられていると共に、この脈拍検出部６が腕Ａの皮膚Ｈに食い込む挿入量Ｓを調整する調整部材７が設けられている。この場合、脈拍検出部６は、接続部材（図示せず）によって時計モジュール５と電気的に接続されている。
【００１５】
この脈拍検出部６は、図１に示すように、赤外線を発光する発光素子６ａと、その赤外線の反射光を受光する受光素子６ｂとを備え、これら発光素子６ａと受光素子６ｂとが裏蓋４の下面に設けられた基板６ｄに並列に設けられた状態で、光透過性を有するカバー部材６ｃで覆われ、このカバー部材６ｃの下部が図３および図４に示すように腕Ａの皮膚Ｈに食い込むように構成されている。
【００１６】
すなわち、この脈拍検出部６は、カバー部材６ｃが腕Ａの皮膚Ｈに食い込んだ状態で、発光素子６ａが赤外線を腕Ａの皮膚Ｈに照射すると、その赤外線の一部が皮膚Ｈの内部の血管に照射され、この血管内を流れる血液中のヘモクロビンに吸収されるが、残りの光が反射され、この反射した赤外線を受光素子６ｂで受光するように構成されている。これにより、脈拍検出部６は、血管中の血液が脈を打って流れるときに、ヘモクロビンの流量が変化し、これに伴って赤外線の吸収率が変化することにより、受光素子６ｂによる受光率が変化するので、その変化を脈拍として検出するように構成されている。
【００１７】
一方、調整部材７は、図１および図２に示すように、脈拍検出部６が挿入する貫通孔８ａを有する調整板８と、この調整板８を脈拍検出部６の突出方向に沿って移動させる移動部材９とを備えている。調整板８は円形状の平板であり、その中心には脈拍検出部６が出没方向に移動可能に挿入する貫通孔８ａが設けられている。移動部材９は、図１および図２に示すように、調整板８の上面に設けられた第１円筒部１０と、腕時計ケース１の裏蓋４に設けられた第２円筒部１１とを備えている。
【００１８】
この場合、第１円筒部１０は、図２に示すように、その外径が第２円筒部１１の内径と同じ大きさに形成されており、その外周面には雄ねじ１０ａが螺旋状に形成されている。また、第２円筒部１１は、その内径が第１円筒部１０の外径と同じ大きさに形成され、その内周面に第１円筒部１０の雄ねじ１０ａに螺合する雌ねじ１１ａが螺旋状に形成され、これにより第２円筒部１１内に第１円筒部１０が螺入するように構成されている。
【００１９】
従って、この移動部材９は、図１および図２に示すように、第２円筒部１１の雌ねじ１１ａに第１円筒部１０の雄ねじ１０ａが螺合し、この状態で調整板８を回すと、第１円筒部１０が第２円筒部１１に対する出没方向に移動し、これに伴って調整板８が脈拍検出部６の突出方向に沿って移動することにより、調整板８に対する脈拍検出部６の突出量つまり脈拍検出部６が腕Ａの皮膚Ｈに食い込む挿入量Ｓを調整するように構成されている。
【００２０】
次に、この腕時計の作用について説明する。
通常は、時計モジュール５の表示部５ａに時刻情報が表示されるので、現在時刻を知ることができるほか、脈拍測定モードが選択されると、脈拍を測定することができる。この場合には、予め、調整部材７を操作して、腕Ａの皮膚Ｈに対する脈拍検出部６の接触圧を調整する。このときには、調整板８を回転させて第１円筒部１０を第２円筒部１１に対し出没方向に移動させることにより、調整板８を脈拍検出部６の突出方向に沿って移動させて、脈拍検出部６を調整板８の貫通孔８ａから所定長さに突出させる。
【００２１】
すなわち、腕Ａの皮膚Ｈに対する脈拍検出部６の接触圧を小さくする場合には、図３に示すように、例えば調整板８を時計周りに回転させて、第１円筒部１０を第２円筒部１１から突出する方向に移動させ、調整板８を脈拍検出部６の下端側に位置させることにより、脈拍検出部６が調整板８の貫通孔８ａから突出する長さＳ１を短くする。また、腕Ａの皮膚Ｈに対する脈拍検出部６の接触圧を大きくする場合には、図４に示すように、例えば調整板８を反時計周りに回転させて、第１円筒部１０を第２円筒部１１内に没入する方向に移動させ、調整板８を脈拍検出部６の上端側に位置させることにより、脈拍検出部６が調整板８の貫通孔８ａから突出する長さＳ２を長くする。
【００２２】
この状態で、腕時計ケース１を時計バンド２で測定者の腕Ａに締め付けて取り付けると、調整部材７の調整板８全体が腕Ａの皮膚Ｈを均等に押し付けると共に、皮膚Ｈを均等に押し付けている調整板８の貫通孔８ａから突出した脈拍検出部６が腕Ａの皮膚Ｈに食い込んで配置される。これにより、脈拍検出部６を腕Ａの皮膚Ｈに所定の接触圧で接触させることができ、この状態で、脈拍検出部６により血管中を流れる血液の脈拍を測定することができる。
【００２３】
このときには、脈拍検出部６の発光素子６ａが赤外線を腕Ａの皮膚Ｈに照射し、その赤外線の一部が皮膚Ｈの内部の血管に照射され、この血管内を流れる血液中のヘモクロビンに吸収されるが、残りの光が反射され、この反射した赤外線を受光素子６ｂで受光する。このときに、血管中の血液が脈を打って流れるので、ヘモクロビンの流量が変化し、これに伴って赤外線の吸収率が変化するので、受光素子６ｂによる赤外線の受光率が変化し、この変化を脈拍として測定することができる。これにより、その測定結果を時計モジュール５の表示部５ａに表示して測定者に知らせることができる。
【００２４】
このように、この腕時計によれば、時計バンド２によって腕時計ケース１を腕Ａに取り付けるときに、腕時計ケース１の裏蓋４に突出して設けられた脈拍検出部６が腕Ａの皮膚Ｈに食い込むと共に、この脈拍検出部６が腕Ａの皮膚Ｈに食い込む挿入量Ｓを調整部材７によって調整することができる。このため、腕Ａの皮膚Ｈに対する脈拍検出部６の接触圧を調整することができ、これにより腕Ａの皮膚Ｈに対する脈拍検出部６の接触圧を適正な接触圧にすることができる。このため、脈拍検出部６によって人体の脈拍を正確に測定することができる。
【００２５】
この場合、調整部材７は、脈拍検出部６の挿入する貫通孔８ａを有する調整板８と、この調整板８を脈拍検出部６の突出方向に沿って移動させる移動部材９とを備えていることにより、調整板８によって脈拍検出部６の周囲に位置する腕Ａの皮膚Ｈを均等に押え付けることができるので、脈拍検出部６が調整板８から突出して皮膚Ｈに食い込む挿入量Ｓを正確に把握することができる。また、移動部材９によって調整板８を脈拍検出部６の突出方向に沿って移動させることにより、調整板８に対する脈拍検出部６の突出量つまり脈拍検出部６が腕Ａの皮膚Ｈに食い込む挿入量Ｓを正確に調整することができるので、腕Ａの皮膚Ｈに対する脈拍検出部６の接触圧を正確に調整することができる。
【００２６】
（実施形態２）
次に、図５および図６を参照して、この発明の脈拍測定装置を腕時計に適用した実施形態２について説明する。なお、図１〜図４に示された実施形態１と同一部分には同一符号を付して説明する。
この腕時計は、腕時計ケース１の裏蓋４の下面に設けられた脈拍検出部６が腕Ａの皮膚Ｈに食い込む挿入量Ｓを調整する調整部材２０が実施形態１と異なる構成であり、これ以外は実施形態１とほぼ同じ構成になっている。
【００２７】
すなわち、この調整部材２０は、図５に示すように、脈拍検出部６が挿入する貫通孔８ａを有する調整板８と、この調整板８を脈拍検出部６の突出方向に沿って移動させる移動部材２１と、この移動部材２１を腕時計ケース１の上面側から操作する操作部材２２とを備えている。調整板８は、実施形態１と同様、円形状の平板であり、その中心には脈拍検出部６が出没方向に移動可能に挿入する貫通孔８ａが設けられている。
【００２８】
移動部材２１は、図５および図６に示すように、調整板８の上面に設けられた複数の円筒部２３と、腕時計ケース１の１２時側と６時側の各バンド取付部１ａ側に位置する腕時計ケース１の内部にそれぞれ挿入して裏蓋４に回転可能に取り付けられた複数のねじ部材２４とを備えている。複数の円筒部２３は、腕時計ケース１の１２時側と６時側の各バンド取付部１ａに対応する調整板８の個所に設けられており、その内周面には雌ねじ２３ａが螺旋状に形成されている。
【００２９】
複数のねじ部材２４は、図５および図６に示すように、それぞれ丸棒状に形成され、その上部側が各バンド取付部１ａ側に位置する腕時計ケース１の内部にそれぞれ挿入し、下部側が腕時計ケース１の下側に突出し、中間部が腕時計ケース１の裏蓋４に回転可能に取り付けられた構成になっている。この場合、ねじ部材２４の上部側には、ピ二オンギア２４ａが設けられており、このねじ部材２４の下部側には、円筒部２３内の雌ねじ２３ａに螺合する雄ねじ２４ｂが設けられている。
【００３０】
これにより、移動部材２１は、図５および図６に示すように、ねじ部材２４が回転すると、このねじ部材２４の雄ねじ２４ｂの回転によって円筒部２３がねじ部材２４の軸方向に沿って移動し、これに伴って調整板８が脈拍検出部６の突出方向に沿って移動することにより、調整板８に対する脈拍検出部６の突出量つまり脈拍検出部６が腕Ａの皮膚Ｈに食い込む挿入量Ｓを調整するように構成されている。
【００３１】
操作部材２２は、図５および図６に示すように、全体が時計ガラス３の外径よりも大きい円筒状に形成され、その下部側が時計ガラス３の外周に沿って腕時計ケース１内に回転自在に埋め込まれている。この場合、操作部材２２は、その上部側が腕時計ケース１の上面側に突出し、この突出した上端部を回転操作することにより、時計ガラス３の外周に沿って回転するように構成されている。
【００３２】
また、操作部材２２の内周面における下部には、図５および図６に示すように、ねじ部材２４のピ二オンギア２４ａに噛み合う内歯車２２ａが設けられている。これにより、操作部材２２は、その上端部を回転操作して時計ガラス３の外周に沿って回転させると、内歯車２２ａの回転移動に伴って複数のねじ部材２４の各ピ二オンギア２４ａがそれぞれ回転し、これにより複数のねじ部材２４をそれぞれ回転させるように構成されている。
【００３３】
このような腕時計では、腕時計ケース１を時計バンド２によって腕Ａに取り付けた状態で、腕Ａの皮膚Ｈに対する脈拍検出部６の接触圧を調整することができる。このときには、腕時計ケース１の上面側に突出した操作部材２２の上端部を回転操作して操作部材２２を時計ガラス３の外周に沿って回転させると、操作部材２２の内歯車２２ａに噛み合った複数のねじ部材２４の各ピ二オンギア２４ａが操作部材２２の回転に伴って回転する。
【００３４】
これにより、移動部材２１のねじ部材２４が回転すると共に、このねじ部材２４の雄ねじ２４ｂが回転するので、この雄ねじ２４ｂの回転に伴って円筒部２３がねじ部材２４の軸方向に沿って移動し、これにより調整板８が脈拍検出部６の突出方向に沿って移動し、調整板８に対する脈拍検出部６の突出量つまり脈拍検出部６が腕Ａの皮膚Ｈに食い込む挿入量Ｓを調整することができるので、腕Ａの皮膚Ｈに対する脈拍検出部６の接触圧を調整することができる。
【００３５】
このように、この腕時計によれば、実施形態１と同様の作用効果があるほか、特に調整部材２０が、移動部材２１を腕時計ケース１の上面側から操作する操作部材２２を備えているので、腕時計ケース１を腕Ａに取り付けた状態で操作部材２２を操作することができ、これにより移動部材２１を動作させて腕Ａの皮膚Ｈに対する脈拍検出部６の接触圧を調整することができるので、腕Ａに対する時計バンド２の締付力に係わらず、腕時計ケース１を腕Ａに取り付けた状態で腕Ａの皮膚Ｈに対する脈拍検出部６の接触圧を調整することができ、これにより脈拍の信号強度を極大にするための接触圧を得ることができ、正確な脈拍測定ができると共に、使い勝手の良いものを得ることができる。
【００３６】
（実施形態３）
次に、図７を参照して、この発明を腕時計に適用した実施形態３について説明する。この場合には、図５および図６に示された実施形態２と同一部分に同一符号を付して説明する。
この腕時計は、調整部材２０が脈拍検出部６の突出方向に対する調整板８の移動位置を検出する位置検出部３０を備えた構成であり、これ以外は実施形態２とほぼ同じ構成になっている。
【００３７】
すなわち、位置検出部３０は、ねじ部材２４のピ二オンギア２４ａの回転量を検出することにより、脈拍検出部６の突出方向に対する調整板８の移動位置を算出するためのものであり、図７に示すように、時計モジュール５内におけるピ二オンギア２４ａに対応する個所に設けられている。また、時計モジュール５の表示部５ａは、位置検出部３０で検出された調整板８の位置情報に基づいて制御部（図示せず）が腕Ａの皮膚Ｈに食い込む脈拍検出部６の挿入量Ｓを算出し、この算出された脈拍検出部６の挿入量Ｓを表示するように構成されている。
【００３８】
このような腕時計によれば、実施形態２と同様、腕時計ケース１を腕Ａに取り付けた状態で、操作部材２２を回転操作して調整板８を脈拍検出部６の突出方向に移動させるときに、脈拍検出部６の突出方向に対する調整板８の移動位置を位置検出部３０で検出し、その検出情報に基づいて腕Ａの皮膚Ｈに食い込む脈拍検出部６の挿入量Ｓを制御部によって算出し、この算出された挿入量Ｓを時計モジュール５の表示部５ａに表示することができるので、表示部５ａに表示された情報を見ながら操作部材２２を操作して、腕Ａの皮膚Ｈに対する脈拍検出部６の接触圧を最適に調整することができ、これにより正確な脈拍測定ができる。
【００３９】
なお、上記実施形態３では、位置検出部３０がねじ部材２４のピ二オンギア２４ａの回転量を検出することにより、脈拍検出部６の突出方向に対する調整板８の移動位置を算出する場合について述べたが、これに限らず、操作部材２２の回転量を検出することにより、脈拍検出部６の突出方向に対する調整板８の移動位置を算出するものであっても良く、また移動部材２１の円筒部２３の上下方向の移動位置を検出することにより、脈拍検出部６の突出方向に対する調整板８の移動位置を検出するものであっても良く、さらには調整板８の上下方向の移動位置を検出することにより、脈拍検出部６の突出方向に対する調整板８の移動位置を検出するものであっても良い。
【００４０】
（実施形態４）
次に、図８を参照して、この発明を腕時計に適用した実施形態４について説明する。この場合には、図５および図６に示された実施形態２、および図７に示された実施形態３と同一部分に同一符号を付して説明する。
この腕時計は、脈拍検出部６の突出方向に対する調整板８の移動位置を算出する位置検出部３０のほかに、体動や温度などの外部環境を測定する環境検出部３５と、この環境検出部３５で検出した環境情報に基づいて腕Ａの皮膚Ｈに食い込む脈拍検出部６の挿入情報を表示部５ａに表示させるように制御するＣＰＵ（中央演算処理装置）３６とを備えた構成であり、これ以外は実施形態２、３とほぼ同じ構成になっている。
【００４１】
すなわち、この腕時計の回路構成は、回路全般を制御するＣＰＵ３６と、脈拍を光学的に検出する脈拍検出部６と、腕Ａの皮膚Ｈに食い込む脈拍検出部６の挿入量Ｓを検出する位置検出部３０と、体動や温度などの外部環境を測定する環境検出部３５と、時刻を計測する時計回路３７と、時刻情報、脈拍数、腕Ａの皮膚Ｈに食い込む脈拍検出部６の挿入情報などの各種情報を表示する表示部５ａとを備えている。
【００４２】
この場合、環境検出部３５は、例えば、体動を測定する加速度センサや温度を測定する温度センサなどであり、時計モジュール５に組み込まれている。ＣＰＵ３６は、脈拍検出部６で検出された情報に基づいて脈拍数を表示部５ａに表示させると共に、位置検出部３０で検出された位置情報に基づいて脈拍検出部６の突出方向に対する調整板８の移動位置を算出し、その算出結果を表示部５ａに表示させるように制御するほか、環境検出部３５で検出した環境情報に基づいて腕Ａの皮膚Ｈに食い込む脈拍検出部６の挿入量Ｓを演算し、この演算した挿入量Ｓの挿入情報を表示部５ａに表示させるように制御するものである。
【００４３】
このような腕時計によれば、実施形態２、３と同様の作用効果があるほか、環境検出部３５によって体動や温度などの外部環境を測定して、その測定情報に基づいてＣＰＵ３６が腕の皮膚に食い込む脈拍検出部６の挿入量Ｓを演算して表示部５ａに表示させることができるので、体動や温度などの外部環境の条件を考慮して腕Ａの皮膚Ｈに対する脈拍検出部６の接触圧を調整することができ、このため、より一層、正確な脈拍測定ができる。
【００４４】
なお、上記実施形態１〜４では、脈拍測定装置として、腕時計に適用した場合について述べたが、必ずしも時計機能を有する必要はなく、腕Ａに装着して脈拍測定ができる腕装着型のものであれば良い。この場合、脈拍の測定結果を表示する表示部５ａは、必ずしも装置本体に設けられている必要はなく、装置本体と別に設けられていても良い。
【図面の簡単な説明】
【００４５】
【図１】この発明を適用した腕時計の実施形態１を示した要部の拡大断面図である。
【図２】図１における調整部材を示した要部の分解斜視図である。
【図３】図１において調整部材により脈拍検出部が腕の皮膚に接触する接触圧を小さく調整した状態を示した断面図である。
【図４】図１において調整部材により脈拍検出部が腕の皮膚に接触する接触圧を大きく調整した状態を示した断面図である。
【図５】この発明を適用した腕時計の実施形態２を示した要部の拡大断面図である。
【図６】図５における調整部材を示した要部の分解斜視図である。
【図７】この発明を適用した腕時計の実施形態３を示した要部の拡大断面図である。
【図８】この発明を適用した腕時計の実施形態４における回路構成を示したブロック図である。
【符号の説明】
【００４６】
１  腕時計ケース
２  時計バンド
３  時計ガラス
４  裏蓋
５  時計モジュール
５ａ  表示部
６  脈拍検出部
６ａ  発光素子
６ｂ  受光素子
６ｃ  カバー部材
７、２０  調整部材
８  調整板
８ａ  貫通孔
９、２１  移動部材
１０  第１円筒部
１０ａ  雄ねじ
１１  第２円筒部
１１ａ  雌ねじ
２２  操作部材
２３  円筒部
２３ａ  雌ねじ
２４  ねじ部材
２４ａ  ピ二オンギア
２４ｂ  雄ねじ
２２ａ  内歯車
３０  位置検出部
３５  環境検出部
３６  ＣＰＵ
Ｓ  挿入量
Ａ  腕
Ｈ  腕の皮膚
【図１】
2008237453.tif 000003
【図２】
2008237453.tif 000004
【図３】
2008237453.tif 000005
【図４】
2008237453.tif 000006
【図５】
2008237453.tif 000007
【図６】
2008237453.tif 000008
【図７】
2008237453.tif 000009
【図８】
2008237453.tif 000010